(57)【要約】【課題】ユーザ間で共有している画像から、興味のある画像をより手軽に取得すること。【解決手段】サーバ装置１０は、ネットワークを介して、登録ユーザ間においてコンテンツを共有させるサービスを提供する。サーバ装置１０は、サービスに登録している登録ユーザからコンテンツを受け付け、登録ユーザに、過去に登録されたタグ情報の中から前記コンテンツに付与すべきタグ情報を選択させ、もしくは、新たに生成させて、そのタグ情報を受け付け、受け付けたコンテンツとタグ情報とを関連づけてメモリに記憶し、メモリにおいて、当該登録ユーザから受け付けたタグ情報と関連づけられているコンテンツであって、当該登録ユーザもしくは他の登録ユーザから受け付けたコンテンツを当該登録ユーザの端末画面に表示する。【選択図】図１
2015076089.tif 000002
【特許請求の範囲】
【請求項１】
ネットワークを介して、登録ユーザ間においてコンテンツを共有させるサービスを提供するサーバ装置であって、
サービスに登録している登録ユーザからコンテンツを受け付けるコンテンツ受付部と、
前記登録ユーザに、過去に登録されたタグ情報の中から前記コンテンツに付与すべきタグ情報を選択させ、あるいは、新たに生成させるタグ情報選択生成部と、
前記タグ情報選択生成部によって選択もしくは生成されたタグ情報を受け付けるタグ情報受付部と、
前記コンテンツ受付部によって受け付けたコンテンツと、前記タグ情報受付部によって受け付けたタグ情報とを関連づけて記憶するメモリと、
前記メモリにおいて当該登録ユーザから受け付けたタグ情報と関連づけられているコンテンツであって、当該登録ユーザもしくは他の登録ユーザから受け付けたコンテンツを当該登録ユーザの端末画面に表示する表示制御部と、
を備えるサーバ装置。
【請求項２】
前記タグ情報受付部によって受け付けたタグ情報を当該登録ユーザのお気に入りタグとして管理するタグ情報管理部と、
をさらに備え、
前記表示制御部は、前記メモリにおいて、前記タグ情報管理部においてお気に入りタグとして管理されているタグ情報と関連づけられているコンテンツを当該登録ユーザの端末画面に表示する、
請求項１に記載のサーバ装置。
【請求項３】
所定の指標に基づいて、前記メモリに記憶されているコンテンツにスコアを付与するコンテンツスコア管理部と、
前記コンテンツスコア管理部において付与されたスコアが所定以上であるコンテンツのうち、そのコンテンツのタグ情報が登録ユーザのお気に入りタグである場合に、そのコンテンツをおすすめコンテンツとして当該登録ユーザに推奨するコンテンツ推奨部と、
をさらに備える請求項２に記載のサーバ装置。
【請求項４】
前記コンテンツスコア管理部は、所定の指標として、コンテンツの閲覧数、又は、そのコンテンツをお気に入りとして登録しているユーザ数の少なくともいずれかに基いて、スコアを付与する
請求項３に記載のサーバ装置。
【請求項５】
前記タグ情報選択生成部は、前記メモリにすでに登録されているタグ情報のうち、登録ユーザが端末に入力した文字から類推されるタグ情報を選択可能なタグ情報として前記表示制御部に表示させると共に、提示されたタグ情報が付与されたコンテンツの数を表示させる
請求項１から４のいずれかに記載のサーバ装置。
【請求項６】
ネットワークを介して、登録ユーザ間においてコンテンツを共有させるサービスを提供する方法であって、
サービスに登録している登録ユーザからコンテンツを受け付けるステップと、
登録ユーザに、過去に登録されたタグ情報の中から前記コンテンツに付与すべきタグ情報を選択させ、もしくは、新たに生成させて、そのタグ情報を受け付けるステップと、
受け付けたコンテンツとタグ情報とを関連づけてメモリに記憶するステップと、
前記メモリにおいて当該登録ユーザから受け付けたタグ情報と関連づけられているコンテンツであって、当該登録ユーザもしくは他の登録ユーザから受け付けたコンテンツを当該登録ユーザの端末画面に表示するステップと、
を含む方法。
【請求項７】
ネットワークを介して、登録ユーザ間においてコンテンツを共有させるサービスをコンピュータに実行させるためのプログラムであって、
サービスに登録している登録ユーザからコンテンツを受け付けるステップと、
登録ユーザに、過去に登録されたタグ情報の中から前記コンテンツに付与すべきタグ情報を選択させ、もしくは、新たに生成させて、そのタグ情報を受け付けるステップと、
受け付けたコンテンツとタグ情報とを関連づけてメモリに記憶するステップと、
前記メモリにおいて当該登録ユーザから受け付けたタグ情報と関連づけられているコンテンツであって、当該登録ユーザもしくは他の登録ユーザから受け付けたコンテンツを当該登録ユーザの端末画面に表示するステップと、
を含むプログラム。
【発明の詳細な説明】
【技術分野】
【０００１】
本発明は、情報処理端末を用いたコンテンツの共有を行う技術に関する。
【背景技術】
【０００２】
従来、ＰＣ（Ｐｅｒｓｏｎａｌ  Ｃｏｍｐｕｔｅｒ）端末や携帯端末等の情報処理装置を用いて、画像の共有を行う、いわゆる画像シェアサービスが提供されている。２０１０年以降、スマートフォンと呼ばれる多機能型携帯端末が急速に普及し、携帯端末で利用されることを前提としたコンテンツ共有サービスが多く提供され、利用者数が増えている。
【０００３】
たとえば、特許文献１には、画像をタグ情報と共に管理し、ユーザが指定したタグに適合する画像を情報処理装置に表示させることが記載されている。
【先行技術文献】
【特許文献】
【０００４】
【特許文献１】再表2008/093783号公報
【発明の概要】
【発明が解決しようとする課題】
【０００５】
しかしながら、従来の技術では、ユーザが興味のある画像をより手軽に取得し、ユーザ間で共有するためには改善の余地があった。
【０００６】
本発明はかかる課題に鑑みてなされたものであり、その目的は、ユーザ間で共有しているコンテンツから、興味のあるコンテンツをより手軽に取得できるサーバ装置、方法、および、プログラムを提供することにある。
【課題を解決するための手段】
【０００７】
本発明のある態様は、ネットワークを介して、登録ユーザ間においてコンテンツを共有させるサービスを提供するサーバ装置に関する。このサーバ装置は、サービスに登録している登録ユーザからコンテンツを受け付けるコンテンツ受付部と、登録ユーザに、過去に登録されたタグ情報の中から前記コンテンツに付与すべきタグ情報を選択させ、あるいは、新たに生成させるタグ情報選択生成部と、タグ情報選択生成部によって選択もしくは生成されたタグ情報を受け付けるタグ情報受付部と、コンテンツ受付部によって受け付けたコンテンツと、タグ情報受付部によって受け付けたタグ情報とを関連づけて記憶するメモリと、メモリにおいて、当該登録ユーザから受け付けたタグ情報と関連づけられているコンテンツであって、当該登録ユーザもしくは他の登録ユーザから受け付けたコンテンツを当該登録ユーザの端末画面に表示する表示制御部と、を備える。
【０００８】
このような態様によると、登録ユーザから受け付けたタグ情報と関連づけられているコンテンツであって、当該登録ユーザもしくは他の登録ユーザから受け付けたコンテンツを当該登録ユーザの端末画面に表示することによって、お気に入りのタグに関連している共有コンテンツをより手軽に取得することができる。
【０００９】
また、このサーバ装置は、タグ情報受付部によって受け付けたタグ情報を当該登録ユーザのお気に入りタグとして管理するタグ情報管理部をさらに備えてもよい。ここで、表示制御部は、前記メモリにおいて、前記タグ情報管理部においてお気に入りタグとして管理されているタグ情報と関連づけられているコンテンツを当該登録ユーザの端末画面に表示してもよい。
【００１０】
このような態様によると、お気に入りタグとして管理されているタグ情報と関連づけられているコンテンツを当該登録ユーザの端末画面に表示することによって、お気に入りのタグに関連している共有コンテンツをより手軽に取得することができる。
【００１１】
また、このサーバ装置は、所定の指標に基づいて、メモリに記憶されているコンテンツにスコアを付与するコンテンツスコア管理部と、コンテンツスコア管理部において付与されたスコアが所定以上であるコンテンツのうち、そのコンテンツのタグ情報が登録ユーザのお気に入りタグである場合に、そのコンテンツをおすすめコンテンツとして当該登録ユーザに推奨するコンテンツ推奨部と、をさらに備えてもよい。
【００１２】
このような態様によると、スコアが所定以上であるコンテンツのうち、そのコンテンツのタグ情報が登録ユーザのお気に入りタグである場合に、そのコンテンツをおすすめコンテンツとして当該登録ユーザに推奨することによって、当該登録ユーザはユーザ間で人気があり且つ当該登録ユーザの趣味に合う可能性の高いコンテンツを見逃すことなく閲覧でき、また、取得することができる。
【００１３】
また、コンテンツスコア管理部は、所定の指標として、コンテンツの閲覧数又はそのコンテンツをお気に入りとして登録しているユーザ数の少なくともいずれかに基いて、スコアを付与してもよい。
【００１４】
このような態様によると、コンテンツの閲覧数又はそのコンテンツをお気に入りとして登録しているユーザ数の少なくともいずれかに基いて、スコアを付与することによって、ユーザ間で人気のあるコンテンツを効率的に抽出することができる。
【００１５】
また、タグ情報選択生成部は、メモリにすでに登録されているタグ情報のうち、登録ユーザが端末に入力した文字から類推されるタグ情報を選択可能なタグ情報として表示制御部に表示させると共に、提示されたタグ情報が付与されたコンテンツの数を表示させてもよい。
【００１６】
このような態様によると、メモリにすでに登録されているタグ情報のうち、登録ユーザが端末に入力した文字から類推されるタグ情報を選択可能なタグ情報として表示制御部に表示させることによって、ユーザの入力補助ができ、システムの快適性を向上できる。また、提示されたタグ情報が付与されたコンテンツの数もあわせて表示することによって、提示されたタグ情報がどの程度一般的に用いられているかの目安を登録ユーザに知らせることができ、登録ユーザがコンテンツに付与するタグ情報を決定することを容易にすることができる。
【００１７】
本発明の別の態様は、ネットワークを介して、登録ユーザ間においてコンテンツを共有させるサービスを提供する方法である。この方法は、サービスに登録している登録ユーザからコンテンツを受け付けるステップと、登録ユーザに、過去に登録されたタグ情報の中から前記コンテンツに付与すべきタグ情報を選択させ、もしくは、新たに生成させて、そのタグ情報を受け付けるステップと、受け付けたコンテンツとタグ情報とを関連づけてメモリに記憶するステップと、メモリにおいて、当該登録ユーザから受け付けたタグ情報と関連づけられているコンテンツであって、当該登録ユーザもしくは他の登録ユーザから受け付けたコンテンツを当該登録ユーザの端末画面に表示するステップと、を含む。
【００１８】
本発明の別の態様は、ネットワークを介して、登録ユーザ間においてコンテンツを共有させるサービスをコンピュータに実行させるためのプログラムである。このプログラムは、サービスに登録している登録ユーザからコンテンツを受け付けるステップと、登録ユーザに、過去に登録されたタグ情報の中から前記コンテンツに付与すべきタグ情報を選択させ、もしくは、新たに生成させて、そのタグ情報を受け付けるステップと、受け付けたコンテンツとタグ情報とを関連づけてメモリに記憶するステップと、メモリにおいて、当該登録ユーザから受け付けたタグ情報と関連づけられているコンテンツであって、当該登録ユーザもしくは他の登録ユーザから受け付けたコンテンツを当該登録ユーザの端末画面に表示するステップと、を含む。
【００１９】
なお、以上の構成要素の任意の組み合わせ、本発明の表現を方法、装置、システム、コンピュータプログラムなどの間で変換したものもまた、本発明の態様として有効である。
【発明の効果】
【００２０】
本発明によると、ユーザ間で共有しているコンテンツから、興味のあるコンテンツをより手軽に取得できる。
【発明を実施するための形態】
【００２１】
本発明の実施例を説明する前に、まず、本発明の概要を述べる。本発明は、情報通信端末装置間においてコンテンツを共有するためのコンテンツ共有サービスなどに適用が可能である。この様なサービスに登録しているユーザを、以下、「登録ユーザ」という。コンテンツには、静止画像、動画像、音声、テキスト、電子書籍、地図情報、あるいは、これらの組み合わせが含まれる。なお、以下においては、静止画像を例として説明を行うが、本発明がこれに限定されるものではないことは当業者であれば容易に理解されるところである。
【００２２】
登録ユーザは、コンテンツ共有システム１００内において画像をアップロードする際、もしくは、他の登録ユーザがアップロードした画像をお気に入りとする際に、その画像に任意のタグ情報をテキスト情報として付与できる。タグ情報は、コンテンツ共有システム内において過去に登録されているものから選択してもよいし、新たなタグ情報を付与してもよい。
【００２３】
従来の画像投稿システムにおいては、投稿される画像に撮像されている人物あるいはその人物のＩＤをタグとして当該画像に付与していたが、タグと画像とが１対１の関係であったため、画像を検索する用途ではあまり用いられることはなかった。
【００２４】
本発明においては、以上の課題を解消しており、タグ情報を画像分類情報として用いることによって、お気に入りのタグについて他の登録ユーザが投稿したコンテンツであってもシェアされやすくなる。また、お気に入りのタグに関連づけられたコンテンツの量が自然と増えていくこととなり、登録ユーザは、お気に入りタグを媒介として、増えたコンテンツを確実に閲覧、取得することができる。以下、本発明をコンテンツ共有システムに適用した例を用いて説明する。
【実施例１】
【００２５】
まず、実施例１について説明する。図１は、本発明の実施例１にかかるコンテンツ共有システム１００を示す図である。コンテンツ共有システム１００は、サーバ装置１０と、基地局４０で代表される第１基地局４０ａ〜第３基地局４０ｃと、モバイル端末５０で代表される第１モバイル端末５０ａ〜第３モバイル端末５０ｃと、サーバ装置１０と基地局４０とを有線回線で接続するネットワーク６０と、ＰＣ端末７０とを含む。モバイル端末５０は、コンテンツ共有サービスの登録ユーザのユーザ端末として用いられる。
【００２６】
なお、図示の都合上、基地局４０、モバイル端末５０は共に３台のみ図示したが、これにかぎらず、それ以上の基地局４０、モバイル端末５０が存在してもよい。ＰＣ端末７０についても同様である。また、第１モバイル端末５０ａ〜第３モバイル端末５０ｃは、それぞれ異なる基地局５０と接続されるとして図示しているが、これにかぎらず、１つの基地局５０に複数のモバイル端末５０が接続されていても、本発明が適用可能であることは言うまでもない。
【００２７】
サーバ装置１０は、コンテンツ共有サービスを実施、提供するための装置である。サーバ装置１０は、ネットワーク６０と基地局４０とを介して、モバイル端末５０やＰＣ端末７０との間で、コンテンツ共有処理のための通信処理を実行する。なお、以下においては、説明を簡易にするため、単に、「サーバ装置１０とモバイル端末４０ないしＰＣ端末７０との間で通信処理を実行する」などと表現し、ネットワーク６０および基地局４０を介する点については記載を省略する。また、以下においては、モバイル端末５０やＰＣ端末７０を総称して、ユーザ端末と表現することもある。
【００２８】
ここで、サーバ装置１０は、コンテンツ共有システム１００に登録した登録ユーザの情報を管理するユーザ情報管理機能と、登録ユーザからコンテンツとタグ情報を受け付ける受付機能と、タグ情報をキーとして、関連するコンテンツを登録ユーザの画面に表示させるための制御をする表示制御機能と、他の登録ユーザがアップロードしたコンテンツを推奨するコンテンツ推奨機能と、を有する。
【００２９】
ユーザ情報管理機能は、ユーザ端末から送信された連絡先情報や、写真や動画などの画像情報を、ユーザに付与された識別情報と関連づけて管理する。具体的には、まず、ユーザ端末からの要求にしたがって、ユーザ端末上でコンテンツ共有システム１００を利用できるようにするためのアプリをダウンロードさせた後、ユーザ端末にユーザ情報を入力させるための画面を表示し、その画面を介して入力された登録ユーザの連絡先情報をその登録ユーザに対して付与した識別情報に関連づけて、サーバ装置１０内のメモリに記憶する。あるいは、アプリをダウンロードさせた後、ユーザ端末内のメモリに記憶されている連絡先情報をアップロードさせて、その登録ユーザに対して付与した識別情報に関連づけて、サーバ装置１０内のメモリにインポートする。この処理の後、ユーザはコンテンツ共有サービスを利用することができる。
【００３０】
受付機能は、アプリの実施中において、登録ユーザから任意の画像情報のアップロードを受け付けることができる。このアプリで提供されるサービスは、全ての登録ユーザの間でコンテンツの共有が可能なオープンなコミュニケーションであってもよいし、あるいは、フレンド関係が成立した登録ユーザの間においてのみ画像がシェアされるような、クローズドなコミュニケーションであってもよい。アップロードは、端末内に記憶されているコンテンツの他、インターネット上を検索して得たコンテンツも対象とすることができる。アップロードの際に、ユーザは、画像を分類するためのタグ情報を付与する。
【００３１】
表示制御機能は、アップロードユーザが誰であるかを問わず、お気に入りのタグ情報が付与されたコンテンツをそのユーザの端末画面に表示する。なお、１つのコンテンツに複数のタグ情報が付与されることができる。たとえば、コンテンツＸに、タグ情報としてＡとＢが付与されている場合、登録ユーザがＡもしくはＢのいずれかをお気に入りタグとして登録していれば、端末画面にコンテンツＸが表示されることとなる。また、同一のタグ情報を複数のコンテンツに付与することもできる。
【００３２】
コンテンツ推奨機能は、コンテンツのスコア付与機能と、所定のスコア以上のコンテンツの提示機能とを有する。スコア付与機能は、コンテンツごとに実施され、コンテンツの閲覧回数、クリップ回数などにより、数値としてのスコアが計算される。クリップ回数とは、そのコンテンツをお気に入りとして選択したユーザの数である。提示機能は、所定のスコア以上となったコンテンツを、そのコンテンツのタグ情報をお気に入りとして登録している登録ユーザに対して提示する機能である。スコアは、閲覧等のたびに更新されてもよい。これらの機能により、ユーザは、お気に入りとしているタグ情報が付与されているコンテンツのうち、人気コンテンツをすばやく把握することができる。
【００３３】
図２は、図１のコンテンツ共有システム１００におけるサーバ装置１０の構成例を示す図である。サーバ装置１０は、サーバ通信部１２と、ユーザ情報管理部１４と、コンテンツ受付部１６と、タグ情報選択生成部１８と、タグ情報受付部２０と、タグ情報管理部２２と、コンテンツスコア管理部２４と、コンテンツ推奨部２６と、画面表示制御部２８と、サーバメモリ３０とを含む。
【００３４】
サーバ通信部１２は、ユーザ端末からの信号を受信し、所定の復調処理を実施して、ユーザ情報管理部１４、コンテンツ受付部１６と、タグ情報選択生成部１８と、タグ情報受付部２０と、タグ情報管理部２２と、コンテンツスコア管理部２４と、コンテンツ推奨部２６と、画面表示制御部２８に復調された信号を送る。また、送信すべき信号に対して所定の変調処理を実施して、ユーザ端末に送信する。なお、サーバ通信部１２における変復調処理は、従来用いられている変復調技術が用いられてよく、このような態様であったとしても、本発明を適用することができることは当業者に理解されるところである。
【００３５】
ユーザ情報管理部１４は、サーバ通信部１２を通じて、ユーザ端末からアップロードされた連絡先情報や画像情報を受け取る。たとえば、ユーザ情報管理部１４には、ユーザ端末にコンテンツ共有サービスを利用するためのアプリがインストールされたとき、ユーザの連絡先情報を入力させるための画面を表示し、入力されたユーザの連絡先情報をサーバ装置１０に送信する。あるいは、アプリがインストールされたとき、ユーザ端末内の連絡先情報がサーバ装置１０にアップロードされる。その際、ユーザ情報管理部１４は、まず、連絡先情報を送信したユーザ端末にＩＤを付与する。そこで、ユーザ情報管理部１４は、ユーザ端末に付与したＩＤとその連絡先情報とを対応付けて、サーバメモリ３０に登録してもよい。また、ユーザ情報管理部１４は、任意の登録ユーザからアップロードされた画像情報と、当該画像情報をアップロードしたアップロードユーザのＩＤとを対応付けて、サーバメモリ３０に記憶する。
【００３６】
連絡先情報とは、氏名、フリガナ、電話番号、携帯電話番号、Ｅメールアドレス、ＳＮＳ情報、ユーザ情報などを含む。電話番号、携帯電話番号、Ｅメールアドレス、あるいは、ＳＮＳ情報は、複数であってもよい。ＳＮＳ情報は、ｆａｃｅｂｏｏｋ、ｔｗｉｔｔｅｒ、ｍｉｘｉ、Ｌｉｎｋｅｄｉｎ（以上４つはすべて登録商標）などのＳＮＳにおいてユーザを識別し、また、そのユーザに対して連絡をするために必要な１以上の情報を含む。ユーザ情報は、コンテンツ共有システム１００を利用するためのアプリをインストールしているか否かを示す情報であり、登録ユーザであるか未登録ユーザであるかを判断するためのフラグとなる。
【００３７】
コンテンツ受付部１６は、コンテンツ共有サービスに登録している登録ユーザからコンテンツのアップロードを受け付ける。受け付けられたコンテンツは、アップロードをした登録ユーザを示すＩＤと関連づけられて、サーバメモリ３０に記憶される。
【００３８】
タグ情報選択生成部１８は、登録ユーザに、過去に登録されたタグ情報の中からコンテンツに付与すべきタグ情報を選択させ、あるいは、新たに生成させる。具体的には、サーバメモリ３０にすでに登録されているタグ情報から、登録ユーザが端末画面に入力したテキスト文字をもとに、前方一致検索などの手法を用いて、入力文字に近いものを類推して表示することで、タグ名称の入力アシストを行う。ユーザは表示された既登録のタグ情報を選択することもできるし、新たなタグ情報を生成することもできる。
【００３９】
ここで、タグ情報受付部２０は、タグ情報選択生成部１８によって選択もしくは生成されたタグ情報を受け付ける。また、タグ情報管理部２２は、タグ情報受付部２０によって受け付けたタグ情報を当該登録ユーザのお気に入りタグとして管理する。タグ情報管理部２２は、他の登録ユーザがアップロードした画像のうち、登録ユーザがクリップした画像をお気に入り画像として、登録ユーザのＩＤと関連づけてサーバメモリ３０で管理する。その際に、クリップした画像に付与されているタグ情報をお気に入りタグ情報として、登録ユーザのＩＤと関連づけてサーバメモリ３０で管理するようにしてもよい。
【００４０】
コンテンツスコア管理部２４は、所定の指標に基づいて、サーバメモリ３０に記憶されているコンテンツにスコアを付与する。所定の指標としては、コンテンツの閲覧数、そのコンテンツをお気に入りとして登録しているユーザ数（クリップ数）の少なくともいずれかに基いてもよい。
【００４１】
コンテンツ推奨部２６は、コンテンツスコア管理部２４において付与されたスコアが所定の値以上であるコンテンツのうち、そのコンテンツのタグ情報が登録ユーザのお気に入りタグである場合に、そのコンテンツをおすすめコンテンツとして当該登録ユーザに推奨する。推奨の際には、コンテンツ推奨部２６がサーバメモリ３０にアクセスして推奨対象のコンテンツを読み出し、画面表示制御部２８に対して、該当ユーザの端末画面へのポップアップ表示を指示する。ユーザは、ポップアップされた画像をタップすることで拡大表示することができ、その画像を閲覧したりお気に入り画像として登録したりすることができる。おすすめコンテンツの推奨は、メール、ＳＭＳ、チャット、ＳＮＳ内のメッセンジャーなどの手段によって行ってもよい。
【００４２】
画面表示制御部２８は、ユーザがコンテンツ共有システム１００にアクセスした場合に、サーバ通信部１２を通じて、ユーザ端末の画面に表示させるべき画像やテキストなどを送信する。たとえば、ユーザ情報画面を表示させる場合、画面表示制御部２８は、サーバメモリ３０にアクセスして、表示させるべきユーザのユーザ情報を取得し、所定のフォーマットでユーザ情報画面を形成する。また、タグ情報受付部２０においてタグ付け処理がなされた場合に、サーバメモリ３０にアクセスして、被タグ付コンテンツを表示させる。
【００４３】
ここで、図３〜図１０を用いて、コンテンツ共有サービスに関する説明を行う。なお、理解を容易とするためにユーザ端末の画面表示を用いているが、これらの画面表示は、サーバ装置１０のサーバ通信部１２と、ユーザ情報管理部１４と、コンテンツ受付部１６と、タグ情報選択生成部１８と、タグ情報受付部２０と、タグ情報管理部２２と、コンテンツスコア管理部２４と、コンテンツ推奨部２６の指示のもとで、画像表示制御部２８がサーバメモリ３０にアクセスすることにより生成されて、ユーザ端末の画面に表示させたものである。また、端末の画面がタッチパネルによる入力操作を想定して以下の実施の形態を説明するが、マウス操作等による操作であっても構わないものとする。
【００４４】
図３は、図１のユーザ端末の第１の画面表示例２１０を示す図である。第１の画面表示例２１０は、ユーザ登録の際のタグ情報を選択する画面であり、９つの代表画像３０２と、スタートボタン３０４を含む。代表画像３０２は、所定のタグ情報が付与されている複数のコンテンツから選択された１つの画像である。スタートボタン３０４を、ユーザがタップすることでサービスが開始される。
【００４５】
本実施形態の画像共有サービスでは、ユーザ登録の際に、興味のあるタグを複数選択させる。サーバメモリ３０に登録されているタグのうち、所定のルール（そのタグが付与された写真が多い順、直近で付与された回数が多い順、タグ検索された回数が多い順など）により抽出されたタグが、写真のサムネイルと共に、代表画像３０２として表示される。ユーザは、興味のあるタグをタップすることにより、そのタグをお気に入りタグとして選択することができる。選択された画像には、第１の画面表示例２１０の＃ＡＡＡ、＃ＢＢＢ、＃ＥＥＥ、＃ＦＦＦに図示するごとく、チェックマークが表示される。これによって、サービスに加入した直後から、自分の興味があるタグに基づいた写真がタイムラインに表示される。タイムラインとは、登録ユーザごとのページであり、そのユーザのお気に入りタグのいずれかが付与されている画像がタグ情報と共に表示される。なお、タイムラインにおいて、サーバ装置１０にアップロードされた時刻に基づいて、画像が新着順に表示される。その際、画像ごとのスコア等の情報を加味して、表示順序を入れ替えてもよい。
【００４６】
図４は、図１のユーザ端末の第２の画面表示例２２０を示す図である。第２の画面表示例２２０は、画像を投稿する際の画面表示であり、タグ情報表示欄３０６と、画像表示欄３０８と、クリップ数表示欄３１０と、閲覧数表示欄３１２とを含む。タグ情報表示欄３０６は、サーバメモリ３０に登録されているタグ情報の一部が表示される欄である。画像表示欄３０８は、サーバメモリ３０に登録されている画像の一部が表示される欄である。クリップ数表示欄３１０は、画像ごとに表示されるもので、その画像をお気に入り画像としてクリップしているユーザ数が表示される欄である。閲覧数表示欄３１２は、画像ごとに表示されるもので、その画像をユーザがタップして、拡大表示して閲覧された回数が表示される欄である。
【００４７】
ユーザは、ユーザの端末装置に記憶される写真（ライブラリから投稿）、その場で撮った写真、インターネットを任意のワードで画像検索して表示された写真（画像検索して投稿）、選択した任意のWebページに含まれる写真（ウェブ検索して投稿）などから任意の写真を選択してアップロードすることが可能である。
【００４８】
図５は、図１のユーザ端末の第３の画面表示例２３０を示す図である。第３の画面表示例２３０は、タグ情報を登録する際の画面表示であり、タグ名称入力欄３１４を含む。タグ情報入力欄３１４は、ユーザがタップすることで入力可能となる欄であり、入力されたテキスト文字が表示される。
【００４９】
写真をアップロードする際に、ユーザはその写真に対して任意の文字を入力し、その文字をタグとして写真に付与することができる。ここで付与されたタグは、ユーザのお気に入りタグとして自動的に登録されると共に、もしそのタグがサーバに登録されていなければ、そのタグがサーバメモリ３０内のタグデータベースに登録される。なお、お気に入りタグは、ユーザが別途手動で登録する事もできる。
【００５０】
タイムラインでは、ユーザのお気に入りタグのうち、いずれかが付与されている写真がサムネイルとして表示される。これによって、写真にタグを付与するのと同時にお気に入りタグにも登録できるので、お気に入りタグを容易に設定することができ、ユーザが興味のある画像をより手軽に取得することができる。
【００５１】
図６は、図１のユーザ端末の第４の画面表示例２４０を示す図である。第４の画面表示例２４０は、タグ情報の入力アシストにかかる画面表示であり、タグ情報候補表示欄３１６を含む。タグ情報候補表示欄３１６は、タグ名称入力欄３１４に入力されたテキストをもとに、サーバメモリ３０に登録されているタグ情報の中から、前方一致検索結果が表示される欄である。タグ情報候補表示欄３１６には、タグ情報の候補名称の他、そのタグ情報が付与されている画像数も表示される。
【００５２】
図７は、図１のユーザ端末の第５の画面表示例２５０を示す図である。第５の画面表示例２５０は、タグ情報表示欄３２２に表示されているタグ情報が付与されている画像の一覧が表示される画面であり、画像表示欄３１８と、ユーザ名表示欄３２０と、タグ情報表示欄３２２とを含む。画像表示欄３１８は、画像が表示される欄である。ユーザ名表示欄３２０は、その画像をアップロードしたユーザ名が表示される欄である。タグ情報表示欄３２２は、タグ情報の名称が表示される欄である。
【００５３】
タイムラインなどで表示されたタグを選択すると、そのタグが付与された写真の一覧が表示される。その際、写真のサムネイルと共に、その写真に付与されているタグも表示される。これによりユーザは、タグ自体もコンテンツとして楽しむことができる。
【００５４】
さらに、右上の星ボタンを選択することで、そのタグをユーザのお気に入りタグに加える事ができる。そのため、ユーザは、任意のタグを選択し、表示される写真を見てそのタグが気に入れば、容易にそのタグをお気に入りに追加することができるため、ユーザが興味のある画像を取得することがより容易となる。
【００５５】
図８は、図１のユーザ端末の第６の画面表示例２６０を示す図である。第６の画面表示例２６０は、第５の画面表示例２５０に表示されたいずれかの画像をタップすることでその画像が拡大表示されたときの表示例であり、クリップ画像３２４を含む。クリップ画像３２４は、タップされることにより、その画像がお気に入り画像として登録されたことを示す画像である。
【００５６】
第５の画面表示例２５０に表示されたいずれかの画像をタップされたのと同時に、その写真が閲覧されたことになるため、その写真の閲覧数が１つ増加される。クリップ画像３２４を押すと、写真がユーザのお気に入り写真としてクリップされる。その際、その写真のクリップ数を１増やす。ユーザは、マイページのクリップモードを選択することで、過去にクリップした写真を一覧で見ることができる。
【００５７】
ここで、ユーザのマイページではクリップモードの他、タグ閲覧モードがある。クリップボードはお気に入りの画像を一覧表示されるモードであるのに対し、タグ閲覧モードはお気に入りのタグを一覧表示するモードである。
【００５８】
図９は、図１のユーザ端末の第７の画面表示例２７０を示す図である。第７の画面表示例２７０は、ユーザのマイページにおいてクリップモードが選択された場合の画面の表示例であり、ユーザ画像表示欄３２６と、お気に入りタグ数表示欄３２８と、クリップ画像数表示欄３３０とを含む。ユーザ画像表示欄３２６は、ユーザを示す画像が表示される欄である。お気に入りタグ数表示欄３２８は、ユーザ名表示欄３２０に表示されたユーザのお気に入りタグとして登録されたタグの総数が表示される欄である。クリップ画像数表示欄３３０は、ユーザ名表示欄３２０に表示されたユーザがお気に入り画像として過去に登録した画像（クリップした画像）の総数が表示される欄である。
【００５９】
図１０は、図１のユーザ端末の第８の画面表示例２８０を示す図である。第８の画面表示例２８０は、ユーザのマイページにおいてタグ閲覧モードが選択された場合の画面の表示例であり、タグ情報表示欄３３２を含む。タグ情報表示欄３３２は、お気に入りとして登録されたタグの名称と、そのタグ情報が付与されているサーバメモリ３０内に登録された画像の総数が表示される欄である。
【００６０】
つぎに、ユーザ端末側の構成について説明する。図１１は、図１のモバイル端末５０あるいはＰＣ端末７０における構成例を示す図である。ここでは、説明の都合上、モバイル端末５０の構成として説明するが、ＰＣ端末７０においても同様の構成となる。
【００６１】
モバイル端末５０は、端末通信部５２と、端末制御部５４と、ユーザインタフェース５６と、端末メモリ５８とを備える。端末通信部５２は、サーバ装置１０からダウンロードしたコンテンツ共有アプリや、サーバ装置１０からの問い合わせメッセージ、あるいは、他のユーザからのメッセージなどを受信する。
【００６２】
端末制御部５４は、ユーザインタフェース５６を介してユーザからの指示を受け付けて、端末メモリ５８にアクセスしながら、アプリのインストール制御や、端末メモリ５８に登録された連絡先情報のアップロード制御、あるいは、画像の処理、タグ付け処理などを行う。
【００６３】
また、ユーザインタフェース５６は、ユーザへのメッセージやユーザ情報画面を表示するための画面インタフェースと、キーボードやタッチパネルなどのユーザからの入力を受け付ける入力インタフェースと、カメラなどの画像撮像手段を含む。
【００６４】
ユーザインタフェース５６は、ユーザからのコンテンツのアップロード要求やタグ付け要求、あるいは、タグ名称の入力、お気に入りコンテンツの指定などの指示を受け付けて、端末制御部５４に伝える。タグ情報を付与する場合、タグ情報を入力するボックスを指定し、名称を入力する。その際、一文字入力されるたびに、タグの候補が画面インタフェース上の候補欄に表示されてもよい。候補欄に表示される順序は、被タグ付け画像数が多いタグが優先されてもよいし、そのユーザが直近にタグ付けしたタグ情報が表示されてもよいし、そのユーザが過去に付与したタグ情報に近いものが表示されてもよい。
【００６５】
端末メモリ５８は、画像撮像手段や他のユーザから受信した画像情報を記憶し、また、氏名と連絡先とが対応付けて記憶された連絡先情報などを記憶する。
【００６６】
図１２は、図２のサーバ装置１０の処理手順例を示すフローチャートである。このフローチャートは、ユーザ端末にアプリをダウンロードさせたことを契機として開始される。
【００６７】
まず、サーバ装置１０は、登録ユーザから、画像とその画像に付与すべきタグ情報のアップロードを受け付ける（Ｓ１０）。受け付けられた画像とタグ情報は、互いに関連づけられてサーバメモリ３０に登録される（Ｓ１２）。ここで、付与されたタグ情報がサーバメモリ３０にすでに登録されていた場合（Ｓ１４のＹｅｓ）、登録ユーザがアップロードした画像のほか、そのタグ情報が付与されている他の画像もあわせて端末画面に表示する（Ｓ１６）。付与されたタグ情報がサーバメモリ３０に登録されておらず、新規のタグ情報である場合（Ｓ１４のＮｏ）、アップロードした画像を端末画面に表示する（Ｓ１８）。
【００６８】
以上のような態様によると、登録ユーザから受け付けたタグ情報と関連づけられているコンテンツであって、当該登録ユーザもしくは他の登録ユーザから受け付けたコンテンツを当該登録ユーザの端末画面に表示することによって、お気に入りのタグに関連している共有コンテンツをより手軽に取得することができる。また、新規にタグ情報を登録すると、その後において、他の登録ユーザによってアップロードされた画像にそのタグ情報を付与する場合があるため、自ら作成したタグを人気ジャンルとして育て、閲覧していくことができるため、サービスの興趣性を高めることができる。
【実施例２】
【００６９】
つぎに実施例２について説明する。実施例２は、実施例１にて説明した構成に加え、以下の特徴を有する。
（１）タイムラインにお気に入りタグとおすすめタグを表示する
（２）所定の期間のランキングに基づいて写真の表示順序を並べ替えることができる
なお、実施例１と同様の構成については、同一の符号を用いて説明することとする。
【００７０】
実施例２において、図２に図示したコンテンツ推奨部２６は、おすすめのタグ情報をユーザに推奨する。推奨対象となるタグ情報は、付与されている画像数が多いものや検索された回数が多いものでもよく、お気に入りタグとして登録しているユーザ数の多いものなどであってもよい。また、ユーザのお気に入りタグに近いものを推奨してもよい。ユーザのお気に入りタグに近いものとしては、ユーザのお気に入りタグと共に画像に付与されている頻度が高いタグが挙げられる。おすすめのタグ情報の推奨は、メール、ＳＭＳ、チャット、ＳＮＳ内のメッセンジャーなどの手段によって行われてもよい。
【００７１】
図１３は、実施例２にかかるユーザ端末の第９の画面表示例４１０を示す図である。第９の画面表示例４１０は、サーチボタン３３４と、おすすめタグ表示欄３３６とを含む。サーチボタン３３４がタップされることで、図５に図示するような、タグをサーチするための画面に遷移する。
【００７２】
画面表示制御部２８は、サーバメモリ３０に登録されているお気に入りタグと、コンテンツ推奨部２６によって推奨対象となったおすすめタグとを端末画面のタイムラインに、第９の画面表示例４１０に図示するごとく表示する。お気に入りタグは、そのタグを代表する写真のサムネイルと共に表示される。また、ユーザが画像をアップロードする際にユーザが新しくタグを付与した場合、自動的にそのタグがお気に入りタグに追加され、そのタグがタイムラインに表示されるようになる。このような態様により、ユーザはお気に入りタグが付与された画像に対して容易にアクセスすることが可能となる。また、おすすめのタグを当該登録ユーザに推奨することによって、ユーザ間で人気のあるタグ、ならびに、そのタグが付与されているコンテンツを見逃すことなく閲覧でき、また、取得することができる。
【００７３】
図１４は、実施例２にかかるユーザ端末の第１０の画面表示例４２０を示す図である。第１０の画面表示例４２０は、並び替えボタン表示欄３３８を含む。並び替えボタン表示欄３３８は、図示するごとく、所定の期間内におけるランキング結果にもとづいて、タグを並び替える選択部と、時系列順で並び替えるための選択部とが表示される。「ランキングの並び替え」においては、「今日」、「週間」、「月間」、「総合」の４種類の選択部を表示し、ユーザに選択された選択部の期間におけるランキングに基づいて画像表示欄３１８における画像の表示順序を並べ替える。ランキングは、コンテンツスコア管理部２４によって算出されてもよい。また、「時系列順で並び替え」では、画像表示欄３１８における画像を、アップロードされた日時が新しいものから順に並べるか、あるいはアップロードされた日時が古いものから順に並べるか選択することができる。このような態様により、ランキング表示を簡易に切り替えられるので、ユーザ間で人気のあるコンテンツを見逃すことなく閲覧でき、また、取得することができる。また、ユーザは様々な観点から画像表示欄における画像を容易に並び替えることができるため、ユーザがお気に入りの写真を見つけることが容易となる。
【００７４】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、それらの各構成要素や各処理プロセスの組み合わせにいろいろな変形例が可能なこと、またそうした変形例も本発明の範囲にあることは当業者に理解されるところである。
【図面の簡単な説明】
【００７５】
【図１】実施例１にかかるコンテンツ共有システムを示す図である。
【図２】図１のコンテンツ共有システムにおけるサーバ装置の構成例を示す図である。
【図３】図１のユーザ端末の第１の画面表示例を示す図である。
【図４】図１のユーザ端末の第２の画面表示例を示す図である。
【図５】図１のユーザ端末の第３の画面表示例を示す図である。
【図６】図１のユーザ端末の第４の画面表示例を示す図である。
【図７】図１のユーザ端末の第５の画面表示例を示す図である。
【図８】図１のユーザ端末の第６の画面表示例を示す図である。
【図９】図１のユーザ端末の第７の画面表示例を示す図である。
【図１０】図１のユーザ端末の第８の画面表示例を示す図である。
【図１１】図１のモバイル端末あるいはＰＣ端末における構成例を示す図である。
【図１２】図２のサーバ装置の処理手順例を示すフローチャートである。
【図１３】実施例２にかかるユーザ端末の第９の画面表示例を示す図である。
【図１４】実施例２にかかるユーザ端末の第１０の画面表示例を示す図である。
【符号の説明】
【００７６】
１０  サーバ装置、  １２  サーバ通信部、  １４  ユーザ情報管理部、  １６  コンテンツ受付部、  １８  タグ情報選択生成部、  ２０  タグ情報受付部、  ２２  タグ情報管理部、  ２４  コンテンツスコア管理部、  ２６  コンテンツ推奨部、  ２８  画面表示制御部、  ３０  サーバメモリ、  ４０  基地局、  ４０ａ  第１基地局、  ４０ｂ  第２基地局、  ４０ｃ  第３基地局、  ５０  モバイル端末、  ５０ａ  第１モバイル端末、  ５０ｂ  第２モバイル端末、  ５０ｃ  第３モバイル端末、  ５２  端末通信部、  ５４  端末制御部、  ５６  ユーザインタフェース、  ５８  端末メモリ、  ６０  ネットワーク、  ７０  ＰＣ端末、  １００  コンテンツ共有システム、  ２１０  第１の画面表示例、  ２２０  第２の画面表示例、  ２３０  第３の画面表示例、  ２４０  第４の画面表示例、  ２５０  第５の画面表示例、  ２６０  第６の画面表示例、  ２７０  第７の画面表示例、  ２８０  第８の画面表示例、  ３０２  代表画像、  ３０４  スタートボタン、  ３０６  タグ情報表示欄、  ３０８  画像表示欄、  ３１０  クリップ数表示欄、  ３１２  閲覧数表示欄、  ３１４  タグ名称入力欄、  ３１６  タグ情報候補表示欄、  ３１８  画像表示欄、  ３２０  ユーザ名表示欄、  ３２２  タグ情報表示欄、  ３２４  クリップ画像、  ３２６  ユーザ画像表示欄、  ３２８  お気に入りタグ数表示欄、  ３３０  クリップ画像数表示欄、  ３３２  タグ情報表示欄、  ３３４  サーチボタン、  ３３６  おすすめタグ表示欄、  ３３８  並び替えボタン表示欄、  ４１０  第９の画面表示例、  ４２０  第１０の画面表示例。
【図１】
2015076089.tif 000003
【図２】
2015076089.tif 000004
【図３】
2015076089.tif 000005
【図４】
2015076089.tif 000006
【図５】
2015076089.tif 000007
【図６】
2015076089.tif 000008
【図７】
2015076089.tif 000009
【図８】
2015076089.tif 000010
【図９】
2015076089.tif 000011
【図１０】
2015076089.tif 000012
【図１１】
2015076089.tif 000013
【図１２】
2015076089.tif 000014
【図１３】
2015076089.tif 000015
【図１４】
2015076089.tif 000016